(57)【特許請求の範囲】
【請求項１】
天井板の開口部に取り付けたスピーカーを包囲する筒状部と、
鉛直断面形状が曲線状をなす曲面部を含む天板部とを備え、
前記筒状部が、上端縁を有し、かつ全周に亘って繋がった概ね円形をなしており、
前記天板部が、前記筒状部の前記上端縁に繋がることで前記筒状部の上端を閉塞し、
前記天板部に形成され、径方向に延びるリブを備えていることを特徴とするスピーカーカバー。
【請求項２】
前記リブの端部が、前記天板部の外周縁部に繋がっていることを特徴とする請求項１記載のスピーカーカバー。
【請求項３】
前記天板部のうち前記外周縁部で包囲された天板本体部は、前記外周縁部に対し段差状に高低差を有する形態であり、
前記リブは、前記天板本体部のうち前記外周縁部に対して凹んだ側の面に形成され、
前記リブの端部が前記外周縁部の内周面に繋がっていることを特徴とする請求項２記載のスピーカーカバー。
【請求項４】
天井板の開口部に取り付けたスピーカーを包囲する筒状部と、
鉛直断面形状が曲線状をなす曲面部を含む天板部とを備え、
前記筒状部が、上端縁を有し、かつ全周に亘って繋がった概ね円形をなしており、
前記天板部が、前記筒状部の前記上端縁に繋がることで前記筒状部の上端を閉塞し、
前記曲面部が、下方へ膨らむように湾曲した形態であることを特徴とするスピーカーカバー。
【請求項５】
天井板の開口部に取り付けたスピーカーを包囲する筒状部と、
鉛直断面形状が曲線状をなす曲面部を含む天板部とを備え、
前記筒状部が、上端縁を有し、かつ全周に亘って繋がった概ね円形をなしており、
前記天板部が、前記筒状部の前記上端縁に繋がることで前記筒状部の上端を閉塞し、
前記筒状部の上端部外周縁に形成され、鉛直方向に対して傾斜した形態の誘導斜面を備えていることを特徴とするスピーカーカバー。
【発明の詳細な説明】
【技術分野】
【０００１】
本発明は、スピーカーカバーに関する。
【背景技術】
【０００２】
特許文献１には、スピーカーを、建物の天井板の開口部に取り付けて天井裏空間内に収容し、そのスピーカーから天井裏空間への音漏れを抑制する手段として、スピーカーをスピーカーカバーで覆う技術が開示されている。スピーカーカバーは、合成樹脂製であり、軸線を上下方向に向けた筒状部と、筒状部の上端を塞ぐ天板部とを有している。
【先行技術文献】
【特許文献】
【０００３】
【特許文献１】特開２００９−０１７１０２号公報
【発明の概要】
【発明が解決しようとする課題】
【０００４】
上記スピーカーカバーの天板部は、平板状をなしていて剛性が低いため、スピーカーからの音圧により振動し易く、充分な音漏れ抑制効果を期待することができない。
【０００５】
本発明は、上記従来の実情に鑑みてなされたものであって、スピーカーの音漏れ抑制機能を向上させることを解決すべき課題としている。
【課題を解決するための手段】
【０００６】
本発明のスピーカーカバーは、
天井板の開口部に取り付けたスピーカーを包囲する筒状部と、
鉛直断面形状が曲線状をなす曲面部を含む天板部とを備え、
前記筒状部が、上端縁を有し、かつ全周に亘って繋がった概ね円形をなしており、
前記天板部が、前記筒状部の前記上端縁に繋がることで前記筒状部の上端を閉塞していることを特徴とする。
【発明の効果】
【０００７】
天板部は、鉛直断面形状が曲線状をなす曲面部を含んでいるので、平面部のみで構成されているものに比べて剛性が高い。したがって、スピーカーによる音圧に起因する天板部の振動が小さく、スピーカーから天井裏空間への音漏れを充分に抑制することができる。
【図面の簡単な説明】
【０００８】
【図１】実施例１のスピーカーカバーの斜視図
【図２】スピーカーカバーをスピーカーに取り付けた状態の平面図
【図３】スピーカーカバーとスピーカーを天井板に取り付けた状態をあらわす図２のＸ−Ｘ線相当断面図
【図４】スピーカーカバーとスピーカーを天井板に取り付けた状態をあらわす図２のＹ−Ｙ線相当断面図
【図５】実施例２のスピーカーカバーの斜視図
【図６】実施例２のスピーカーカバーを上下反転させた状態の斜視図
【図７】実施例２のスピーカーカバーとスピーカーを天井板に取り付けた状態をあらわす断面図
【図８】実施例２のスピーカーカバーとスピーカーを天井板に取り付けた状態を、図７と異なる位置で切断してあらわした断面図
【発明を実施するための形態】
【０００９】
本発明のスピーカーカバーは、前記天板部に形成され、径方向に延びるリブを備えていてもよい。この構成によれば、リブによって天板部の剛性が高まるので、音漏れ抑制機能が向上する。
【００１０】
本発明のスピーカーカバーは、前記リブの端部が、前記天板部の外周縁部に繋がっていてもよい。天板部の外周縁部は、筒状部に繋がっているので、天板部のうち外周縁部よりも内側の領域に比べて剛性が高い。したがって、この高剛性の外周縁部にリブの端部を繋げることにより、天板部が振動し難くなり、音漏れ抑制機能が向上する。
【００１１】
本発明のスピーカーカバーは、前記天板部のうち前記外周縁部で包囲された天板本体部は、前記外周縁部に対し段差状に高低差を有する形態であり、前記リブは、前記天板本体部のうち前記外周縁部に対して凹んだ側の面に形成され、前記リブの端部が前記外周縁部の内周面に繋がっていてもよい。この構成によれば、リブの突出寸法を、外周縁部と天板本体部との高低差の範囲内に納めながら、リブの端部においてもリブの突出寸法を確保できる。これにより、リブによる剛性向上機能が充分に発揮される。
【００１２】
本発明のスピーカーカバーは、前記曲面部が、下方へ膨らむように湾曲した形態であってもよい。この構成によれば、スピーカーカバーの低背化を図ることができる。
【００１３】
本発明のスピーカーカバーは、前記筒状部の上端部外周縁に形成され、鉛直方向に対して傾斜した形態の誘導斜面を備えていてもよい。この構成によれば、スピーカーカバーを天井板の下から開口部に取り付ける際に、スピーカーカバーが開口部に対して位置ずれしても、誘導斜面によって位置ずれを矯正することができる。
【００１４】
＜実施例１＞
以下、本発明を具体化した実施例１を図１〜図４を参照して説明する。本実施例１のスピーカーカバーＡは、図３，４に示すように、浴室等の天井板２０の開口部２１に取り付けたスピーカー２３からの音が、天井板２０より上方の天井裏空間２２へ漏れるのを抑制するための部材である。スピーカー２３は、詳しい図示は省略するが、コーン紙を有して音を発生させるスピーカー本体２４と、スピーカー本体２４を支持する略円環状のフレーム２５とを備えている。フレーム２５は、取付具２６を介すことにより、天井板２０における開口部２１の開口縁に固定され、スピーカー２３のほぼ全体（スピーカー本体２４）は天井裏空間２２内に配置されている。スピーカーカバーＡは、少なくともスピーカー本体２４を上方から覆い隠すように取り付けられる。
【００１５】
スピーカーカバーＡは、合成樹脂製の単一部品であり、筒状部１０と天板部１１とを備えている。筒状部１０は、軸線を上下方向（鉛直方向）に向けており、筒状部１０の平面視形状は概ね円形をなしている。筒状部１０の上端部外周縁には、筒状部１０の軸線（鉛直方向線）に対して斜めをなす誘導斜面１２が形成されている。天板部１１は、筒状部１０の上端を全領域に亘って塞いだ形態であり、天板部１１の平面視形状は、筒状部１０と同じく略円形をなしている。スピーカーカバーＡの内部空間は、下面のみが開放された収容空間１３となっている。スピーカーカバーＡは、スピーカー本体２４を収容空間１３内に収容し、筒状部１０の下端部をフレーム２５の外周縁上面に載置した状態で、スピーカー２３に取り付けられる。
【００１６】
天板部１１は、筒状部１０の上端縁に連なる略円環状の外周縁部１４と、平面視において外周縁部１４で包囲された天板本体部１５とから構成されている。外周縁部１４の全領域は、平面部１６となっている。平面部１６の上面は、筒状部１０の軸線に対して直角な平面をなしている。以下の説明において「外周縁部１４」と「平面部１６」は同じ部位を示す。天板本体部１５の平面視形状は、天板部１１と同心の円形をなしている。天板本体部１５の全領域は曲面部１７となっている。以下の説明において「天板本体部１５」と「曲面部１７」は同じ部位を示す。したがって、天板部１１は、１つの平面部１６と１つの曲面部１７とによって構成されている。
【００１７】
また、曲面部１７は、平面部１６に対して段差状に低くなっている。曲面部１７は、その外周側から中央側に向かって平面部１６との高低差が次第に大きくなるように湾曲している。この曲面部１７の湾曲形状は、平面部１６との高低差が天板部１１（筒状部１０）と同心状に変化するような形態である。したがって、曲面部１７は、その中心部において最も低くなっており、中心部において曲面部１７と平面部１６との高低差が最大となっている。
【００１８】
スピーカー本体２４から音が発生すると、その音圧により天板部１１のうち曲面部１７が上下に振動することになる。この曲面部１７の振動が小さいほど、天井裏空間２２への音漏れが抑制される。そこで、曲面部１７の振動を抑制する手段として、曲面部１７には補強機能を有する４本のリブ１８が形成されている。リブ１８は、曲面部１７から上方へ板状に突出した形態である。つまり、リブ１８は、天板部１１の上面のみに形成されている。
【００１９】
平面視において、４本のリブ１８は、曲面部１７の中心から外周側へ径方向（放射方向）に直線状に延びており、周方向において９０°の間隔を空けて配置されている。また、４本のリブ１８は、曲面部１７の中心において互いに繋がっている。また、各リブ１８の外周側の端部は、平面部１６の内周面に繋がっている。つまり、リブ１８は、曲面部１７の上面のみに形成され、平面部１６の上面や下面には形成されていない。
【００２０】
また、全てのリブ１８の突出端（上端）の高さは、リブ１８の全長に亘って一定であり、平面部１６の上面と同じ高さである。つまり、リブ１８の全領域の突出寸法は、平面部１６の上面と曲面部１７の上面との高低差の範囲内に納まっている。曲面部１７は、その外周縁（つまり、平面部１６との境界）を支点として上下方向に振動するのであるが、このとき、鉛直断面において曲面部１７の曲率が変化しようとする。しかし、曲面部１７は径方向に延びたリブ１８によって剛性が高められているので、鉛直断面において曲面部１７の曲率が変化し難くなっている。これにより、曲面部１７の振動が小さく抑えられ、ひいては、スピーカーカバーＡの外への音漏れが効果的に抑制される。
【００２１】
本実施例１のスピーカーカバーＡは、天井板２０の開口部２１に取り付けたスピーカー２３を全周に亘って包囲する筒状部１０と、鉛直断面形状が曲線状をなす曲面部１７を含み、筒状部１０の上端を閉塞する天板部１１とを備えている。このように、天板部１１は、図３，４に示すように、鉛直断面形状が曲線状をなす曲面部１７を含んでいるので、平面部１６のみで構成されているものに比べて剛性が高い。したがって、スピーカー２３による音圧に起因する天板部１１の振動が小さく抑えられ、スピーカー２３から天井裏空間２２への音漏れを充分に抑制することができる。さらに、天板部１１には、径方向に延びるリブ１８が形成されているので、リブ１８によって天板部１１の剛性が高められている。これにより、スピーカーカバーＡの音漏れ抑制機能が向上している。
【００２２】
また、スピーカーカバーＡの筒状部１０は、概ね円形をなし且つ全周に亘って繋がった形状であるから剛性が高く、スピーカー２３からの音圧に起因する振動は、天板部１１に比べて小さい。天板部１１の外周縁部１４は、この剛性の高い筒状部１０の上端部に繋がっているので、天板本体部１５（曲面部１７）に比べて剛性が高い。この点に着目し、リブ１８の径方向外周側の端部を、外周縁部１４に繋げた。これにより、リブ１８による補強機能が向上するので、曲面部１７（天板部１１）が振動し難くなり、音漏れ抑制機能が向上している。
【００２３】
また、天板部１１の天板本体部１５は、外周縁部１４に対し段差状に高低差を有する形態であり、リブ１８は、天板本体部１５のうち外周縁部１４に対して凹んだ側の面に形成され、リブ１８の外周側の端部が外周縁部１４の内周面に繋がっている。この構成によれば、リブ１８の突出寸法を、外周縁部１４と天板本体部１５との高低差の範囲内に納めながら、リブ１８の外周側端部においても突出寸法（上下寸法）を確保できた。リブ１８の突出寸法が大きいほど、補強機能が向上するので、リブ１８によって天板部１１の剛性を向上させる機能が充分に発揮される。
【００２４】
また、曲面部１７は、下方へ膨らむように湾曲した形態であり、リブ１８の高さが平面部１６と同じ高さであるから、スピーカーカバーＡの低背化を図ることができる。さらに、リブ１８が天板部１１の上面に露出しているので、スピーカーカバーＡをスピーカー２３に被せる際には、リブ１８を摘むことにより作業性が向上する。また、スピーカーの天板部１１の上面がほぼフラットになるので、スピーカーカバーＡとスピーカー本体２４を組み付けた状態で、天井板２０への取り付けを行おうとする際に、天板部１１を下向きにした状態でスピーカーカバーＡとスピーカー２３を床面に仮置きすることができる。このような向きで仮置きすれば、スピーカー本体２４の下面が上を向くので、床面の上の異物によってスピーカー本体２４のコーンが傷付けられることを回避できる。
【００２５】
また、筒状部１０の上端部外周縁には、鉛直方向に対して傾斜した形態の誘導斜面１２が形成されている。この誘導斜面１２は、その径寸法が上方に向かうほど次第に小さくなるように傾斜している。したがって、スピーカーカバーＡを天井板２０の下から開口部２１に取り付ける際に、スピーカーカバーＡが開口部２１に対して水平方向に位置ずれしたとしても、誘導斜面１２によってスピーカーカバーＡの位置ずれを矯正することができる。このとき、スピーカーカバーＡとスピーカー本体２４を、予め、取り付けた状態で天板板２０の開口部２１に取り付けてもよい。
【００２６】
＜実施例２＞
次に、本発明を具体化した実施例２を図５〜図８を参照して説明する。本実施例２のスピーカーカバーＢは、天板部３１を上記実施例１とは上下反転させたものである。その他の構成については上記実施例１と同じであるため、同じ構成については、同一符号を付し、構造、作用及び効果の説明は省略する。
【００２７】
図７，８に示すように、天板部３１を構成する曲面部３７（天板本体部３５）は、平面部３６（外周縁部３４）に対し段差状に高くなっている。曲面部３７は、その外周側から中央側に向かって平面部３６との高低差が次第に大きくなるように湾曲している。この曲面部３７の湾曲形状は、平面部３６との高低差が天板部３１（筒状部１０）と同心状に変化するような形態である。したがって、曲面部３７は、その中心部において最も高くなっており、中心部において曲面部３７と平面部３６との高低差が最大となっている。
【００２８】
曲面部３７には補強機能を有する４本のリブ３８が形成されている。リブ３８は、曲面部３７から下方へ板状に突出した形態である。リブ３８は、天板部３１の下面のみに形成されている。全てのリブ３８の突出端（下端）の高さは、リブ３８の全長に亘って一定であり、平面部３６の下面と同じ高さである。つまり、リブ３８の全領域の突出寸法は、平面部３６の下面と曲面部３７の下面との高低差の範囲内に納まっている。
【００２９】
＜他の実施例＞
本発明は上記記述及び図面によって説明した実施例に限定されるものではなく、例えば次のような実施例も本発明の技術的範囲に含まれる。
（１）上記実施例１，２では、筒状部と天板部の平面視形状を略円形としたが、これに限らず、筒状部の平面視形状を略円形とした上で、天板部の平面視形状を、概ね長円形、概ね楕円形、概ね方形等としてもよい。
（２）上記実施例１，２では、天板部の外周縁部のみに平面部を形成したが、これに限らず、天板部のうち外周縁部よりも内側の領域のみに平面部を形成してもよく、天板部の外周縁部と天板部のうち外周縁部よりも内側の領域の両方に平面部を形成してもよい。
（３）上記実施例１，２では、天板部が曲面部と平面部とによって構成されているが、天板部は曲面部のみで構成されていてもよい。
（４）上記実施例１，２では、リブの端部が天板部の外周縁部に繋がっているが、リブは、天板部の外周縁部に繋がらない形態であってもよい。
（５）上記実施例１，２では、リブを、天板部の上下いずれか一方の面のみに形成したが、リブは、天板部の上下両面に形成してもよい。この場合、上面のリブと下面のリブの形成位置は、同じ位置であってもよく、互いに異なる位置であってもよい。
（６）上記実施例１，２では、複数のリブを形成したが、リブの数は、１つだけであってもよい。
（７）上記実施例１，２では、複数のリブを天板部の中央位置で繋げたが、複数のリブは、天板部の中央以外の位置で繋げてもよい。
（８）上記実施例１，２では、複数のリブを繋げたが、複数のリブは、繋げずに独立した形態としてもよい。
（９）上記実施例１，２では、リブを曲面部のみに形成したが、リブは、平面部（外周縁部）に形成してもよい。
（１０）上記実施例１，２では、天板部にリブを形成したが、天板部は、リブを形成しない形態であってもよい。
（１１）上記実施例１，２では、リブの全領域の突出寸法を、外周縁部と天板本体部との高低差の範囲内に納めたが、リブの少なくと一部の突出寸法が、外周縁部と天板本体部との高低差の範囲を超えていてもよい。
（１２）上記実施例１，２では、天板本体部（曲面部）が、外周側から中央側に向かって外周縁部との高低差が次第に大きくなるように湾曲しているが、これに限らず、天板本体部（曲面部）は、外周側から中央側に向かって外周縁部との高低差が次第に小さくなるように湾曲した形態でもよく、外周側から中央側に向かって外周縁部との高低差が変動するような湾曲した形態であってもよい。
（１３）上記実施例１，２では、天板本体部（曲面部）の湾曲形状は、外周縁部との高低差が天板部と同心状に変化するような形態であるが、これに限らず、天板本体部（曲面部）の湾曲形状は、外周縁部との高低差が天板部に対して同心とならないように変化する形態であってもよい。
（１４）上記実施例１，２では、外周縁部（平面部）と天板本体部（曲面部）とが段差状に高低差を有する形態であるが、外周縁部（平面部）と天板本体部（曲面部）との境界に段差がなくてもよい。
（１５）上記実施例１，２では、天板本体部の全領域が曲面部となっているが、天板本体部の一部に平面部が形成されていてもよい。
（１６）上記実施例１では、リブの全領域の突出端（上端）が外周縁部の上面と同じ高さであるが、リブの少なくとも一部の突出端（上端）が外周縁部の上面より低くてもよい。
（１７）上記実施例２では、リブの全領域の突出端（下端）が外周縁部の下面と同じ高さであるが、リブの少なくとも一部の突出端（下端）が外周縁部の下面より高くてもよい。
【符号の説明】
【００３０】
Ａ，Ｂ…スピーカーカバー
１０…筒状部
１１，３１…天板部
１２…誘導斜面
１４，３４…外周縁部
１５，３５…天板本体部
１７，３７…曲面部
１８，３８…リブ
２０…天井板
２１…開口部
２３…スピーカー
【図１】
0006656750.tif 000002
【図２】
0006656750.tif 000003
【図３】
0006656750.tif 000004
【図４】
0006656750.tif 000005
【図５】
0006656750.tif 000006
【図６】
0006656750.tif 000007
【図７】
0006656750.tif 000008
【図８】
0006656750.tif 000009